(57)【要約】【課題】粒子径の異なる２種類の表示用泳動粒子を泳動媒体に分散させた電気泳動表示装置において、各表示用泳動粒子の粒子数、表示応答速度等の相互関係を規定する。【解決手段】内面に電極が形成された対向する基板間に泳動媒体を挟持し、平均粒子半径がｒ１μｍである第１泳動粒子と、平均粒子半径がｒ２μｍである第２泳動泳粒子とを泳動媒体に分散させ、第１泳動粒子の表示応答速度をｔ１、前記第２泳動粒子の表示応答速度をｔ２として、ｒ２≦０．１５×ｒ１、ｔ２≦ｔ１の関係を満たすようにした。【選択図】図１
2007264285.tif 000002
【特許請求の範囲】
【請求項１】
内面に電極が形成された対向する基板の間に泳動媒体を狭持し、前記泳動媒体の中に分散し電界方向に移動する泳動粒子を有する電気泳動表示装置であって、
前記泳動粒子は、平均粒子半径がｒ１μｍである第１泳動粒子と、平均粒子半径がｒ２μｍである第２泳動泳粒子とを有し、
前記第１泳動粒子の表示応答速度をｔ１、前記第２泳動粒子の表示応答速度をｔ２として、
ｒ２≦０．１５×ｒ１
ｔ２≦ｔ１
の関係を満たすことを特徴とする電気泳動表示装置。
【請求項２】
前記ｒ２は、
０．０２５≦ｒ２
の関係を満たすことを特徴とする請求項１に記載の電気泳動表示装置。
【請求項３】
前記ｔ１とｔ２は、
０．５×ｔ１≦ｔ２
の関係を満たすことを特徴とする請求項１又は請求項２に記載の電気泳動表示装置。
【請求項４】
前記泳動媒体の中に分散する前記第２泳動粒子は、前記基板の表示領域における１平方μｍ当たりの平均粒子数をｎとして、
１／（√３（ｒ１）２）≦ｎ
の関係を満たすことを特徴とする請求項１〜３のいずれか１項に記載の電気泳動表示装置。
【請求項５】
前記泳動媒体の中に分散する前記第２泳動粒子は、前記基板の表示領域における１平方μｍ当たりの平均粒子数をｎとして、
ｎ≦０．０７１／（ｒ２）３
の関係を満たすことを特徴とする請求項１〜４のいずれか１項に記載の電気泳動表示装置。
【請求項６】
前記ｒ１は０．２〜１０であることを特徴とする請求項１〜５のいずれか１項に記載の電気泳動表示装置。
【請求項７】
前記ｒ１とｒ２とは、
ｒ２≦０．０９×ｒ１
の関係を満たすことを特徴とする請求項１〜６のいずれか１項に記載の電気泳動表示装置。
【請求項８】
前記ｒ１とｒ２とは、
ｒ２≦０．０３×ｒ１
の関係を満たすことを特徴とする請求項１〜７のいずれか１項に記載の電気泳動表示装置。
【発明の詳細な説明】
【技術分野】
【０００１】
本発明は、溶液等の泳動媒体に帯電した表示用粒子を分散させ電界方向に移動させて表示を行う電気泳動表示装置に関する。
【背景技術】
【０００２】
従来から図５に示す電気泳動表示装置１００が知られている。透明電極１０４、１０５を形成した２枚の透明基板１０１、１０２を、シール１０９を介して対向配置し、この２枚の透明電極１０４、１０５により形成されるギャップに絶縁体である泳動媒体１０６を封入する。泳動媒体１０６には帯電した表示粒子１０７を分散させておく。また、泳動媒体１０６には染料又は顔料により表示粒子１０７とは異なる色に着色させておく。透明電極１０４と透明電極１０５との間に電圧を印加しない状態においては、表示粒子１０７は泳動媒体１０６中に分散している。
【０００３】
スイッチ１０８をオンして電界を印加すると泳動媒体１０６に分散された表示粒子１０７は透明電極１０４に移動する。これを上方から見ると、表示粒子１０７の色が表示される。そして、透明電極１０４、１０５に印加する電圧の極性を反転させることにより、表示粒子１０７が透明電極１０４から離れて透明電極１０５側に移動するため、表示粒子１０７が泳動媒体１０６により遮蔽され、泳動媒体１０６の色が表示される。
【０００４】
電気泳動表示装置は、表示粒子１０７の比重と泳動媒体１０６の比重とを調節することにより、メモリー特性を保持させることができる。また、泳動媒体１０６を黒色に、表示粒子１０７を白色にすれば、高いコントラストが期待できる。また、透明電極１０４、１０５を多数の直交するストライプ状の電極とし、マトリクス構成にすることにより、文字やパターンを表示することが出来る。液晶表示装置のように偏光板を使用する必要がないので、紙に印刷されたような、視認性が良くかつ目の疲れの少ない反射型表示装置を得ることができる。
【０００５】
メモリー性を高めるためには泳動媒体１０６と表示粒子１０７との間の比重差を減少させる必要がある。しかし表示粒子の径を小さくすると表示粒子の光透過性が大きくなり、高いコントラストが得られなくなる。また、コントラストを高くするために表示粒子径を大きくすると、表示粒子間の隙間が大きくなり、着色された泳動媒体１０６により表示粒子１０７の色が遮蔽されて、やはり表示コントラストが悪化する。そこで、粒子径の小さい表示粒子１０７と粒子径の大きな表示粒子１０７を混在させた電気泳動表示装置が提案されている（特許文献１を参照）。泳動媒体１０６に電界を印加して一方の電極に表示粒子を付着させた場合に、粒子径の大きな表示粒子１０７間の隙間を粒子径の小さな表示粒子１０７が埋めることにより、表示濃度を向上させる、というものである。
【特許文献１】特開２００２−２８７１７９号公報
【発明の開示】
【発明が解決しようとする課題】
【０００６】
しかしながら、２種類の表示粒子を混在させても、電極に電圧を印加したときに小さな粒子が大きな粒子よりも先に画像を表示させる表示面側の基板に移動してしまうと、小さな粒子が表示面側の基板と大きな粒子との間に挟まれてしまい、表示濃度が向上できないという問題があった。
【課題を解決するための手段】
【０００７】
本発明は上記課題を解決するために以下の構成を講じた。
（１）本発明の一側面においては、内面に電極が形成された対向する基板の間に泳動媒体を狭持し、前記泳動媒体の中に分散し電界方向に移動する泳動粒子を有する電気泳動表示装置であって、前記泳動粒子は、平均粒子半径がｒ１μｍである第１泳動粒子と、平均粒子半径がｒ２μｍである第２泳動泳粒子とを有し、前記第１泳動粒子の表示応答速度をｔ１、前記第２泳動粒子の表示応答速度をｔ２として、ｒ２≦０．１５×ｒ１、ｔ２≦ｔ１
の関係を満たすことを特徴とする電気泳動表示装置とした。
（２）上記（１）の電気泳動表示装置において、前記ｒ２は、０．０２５≦ｒ２の関係を満たす電気泳動表示装置とした。
（３）上記（１）又は（２）の電気泳動表示装置において、前記ｔ１とｔ２は、０．５×ｔ１≦ｔ２の関係を満たす電気泳動表示装置とした。
（４）上記（１）〜（３）のいずれか１の電気泳動表示装置において、前記泳動媒体の中に分散する前記第２泳動粒子は、前記基板の表示領域における１平方μｍ当たりの平均粒子数をｎとして、１／（√３（ｒ１）２）≦ｎの関係を満たす電気泳動表示装置とした。
（５）上記（１）〜（４）のいずれか１の電気泳動表示装置において、前記泳動媒体の中に分散する前記第２泳動粒子は、前記基板の表示領域における１平方μｍ当たりの平均粒子数をｎとして、ｎ≦０．０７１／（ｒ２）３の関係を満たす電気泳動表示装置とした。
（６）上記（１）〜（５）のいずれか１の電気泳動表示装置において、前記ｒ１は０．２〜１０である電気泳動表示装置とした。
（７）上記（１）〜（６）のいずれか１の電気泳動表示装置において、前記ｒ１とｒ２とは、ｒ２≦０．０９×ｒ１の関係を満たす電気泳動表示装置とした。
（８）上記（１）〜（７）のいずれか１の電気泳動表示装置において、前記ｒ１とｒ２とは、ｒ２≦０．０３×ｒ１の関係を満たす電気泳動表示装置とした。
【発明の効果】
【０００８】
上記（１）の発明によれば、粒子径の大きい表示粒子である第１泳動粒子と粒子径の小さい第２泳動粒子との粒子径の相対関係を規定することにより、第１泳動粒子が画像を表示させる方の基板に移動した後、第２泳動粒子がその第１泳動粒子の間を埋めるようにして移動する。このため、基板と第１泳動粒子との間に第２泳動粒子が挟まれることがないので、表示濃度が向上する、という利点を有する。
【０００９】
上記（２）の発明によれば、表示濃度の低下を防止でき、かつ、粒子の製造が容易である、という利点を有する。
【００１０】
上記（３）の発明によれば、電極に印加する電圧の極性を反転させたときに、第１泳動粒子が電極表面から離間する際に第２泳動粒子が第１泳動粒子の移動の妨げにならない、という利点を有する。
【００１１】
上記（４）の発明によれば、第１泳動粒子が最密充填されたときに第１泳動粒子の間隙に第２泳動粒子が挿入可能な粒子数となるので、表示濃度の低下を防止することができる、という利点を有する。
【００１２】
上記（５）の発明によれば、第２泳動粒子の数が多すぎることによる第１泳動粒子の移動の妨げになることがない、という利点を有する。
【００１３】
上記（６）の発明によれば、表示粒子である第１泳動粒子の粒子径が大きくなることによる駆動電圧の上昇を防止することができ、また、粒子径が小さくなることによる表示濃度の低下を防止することができる、という利点を有する。
【００１４】
上記（７）の発明によれば、第１泳動粒子の粒子間隙に第２泳動粒子が挿入されやすくなり、表示濃度をより高くすることができる、という利点を有する。
【００１５】
上記（８）の発明によれば、第１泳動粒子の粒子間隙に第２泳動粒子がより挿入されやすくなり、表示濃度を更に高くすることができる、という利点を有する。
【発明を実施するための最良の形態】
【００１６】
以下、図面を用いて本発明の実施の形態について詳細に説明する。
【００１７】
図１は、電気泳動表示装置１の模式的な縦断面図である。図１（ａ）において、上側の基板２及び下側の基板３の内面には上側電極４及び下側電極５がそれぞれ形成されている。上側の基板２は透明基板であり上側電極４は透明電極である。上側電極４及び下側電極５は共に多数のストライプ状の電極に分割され、互いに直行してマトリクスを構成し、マトリクスの各交差部が１画素として機能する。この２枚の基板は所定の間隙を形成してシール部６により接着されている。２枚の基板間には泳動媒体９と、泳動媒体９内に粒子径の大きい第１泳動粒子７と粒子径の小さい第２泳動粒子８とが分散している。上側電極４と下側電極５との間には図示しない駆動回路から画像信号が与えられる。具体的には、上側電極４又は下側電極５のいずれか一方を走査電極とし他方を信号電極として、走査電極に走査信号を与え、他方の信号電極には当該走査信号に同期して画像信号を与えて、走査電極を順次選択して総ての画素に表示データを書き込む。
【００１８】
ここで、上側の基板２及び下側の基板３はガラスや透明プラスチック材料を使用する。シール部６はエポキシ系樹脂を用いている。上側電極４は、ＩＴＯ（インジュウム、スズ酸化物）やＺｎＯ（亜鉛酸化物）をスパッタリング法や蒸着法により成膜し、リソグラフィ法によりパターニングして形成する。下側電極５は、上側電極４と同様に透明電極を形成しても良いし、金属薄膜を成膜しパターニングした不透明な導体膜としても良い。上側の基板２と下側の基板３との間の間隔を維持するために、ジビニルベンゼン重合体からなるギャップ材を間隙に導入しているが、図１では省略している。泳動媒体９は、アルコール類、炭化水素、シリコーンオイル等の絶縁性液体を使用する。第１泳動粒子７及び第２泳動粒子８は、着色顔料として酸化チタンやカーボンブラックを樹脂材料と混合して使用する。あるいは、酸化亜鉛、酸化ジルコニウム、酸化アルミニュウム等の無機酸化物を着色顔料として使用することができる。また、その他有機化合物を使用することができる。粒子用樹脂材料については、ポリビニルアルコール樹脂、ポリスチレン樹脂、ポリアクリル樹脂、フッ素樹脂等が挙げられる。他の樹脂も利用できる。
【００１９】
第１泳動粒子７及び第２泳動粒子８に混合する顔料として白色の酸化チタンを使用する場合は、泳動媒体９を顔料あるいは染料により黒色に着色させる。図１（ａ）は上側電極４と下側電極５との間に電圧を印加していない状態を表す。第１泳動粒子７及び第２泳動粒子８ともに分散しており、電気泳動表示装置１を上方から見ると、黒色の泳動媒体９に第１泳動粒子７及び第２泳動粒子８が遮蔽され、泳動媒体９の黒色が見える。図１（ｂ）は、上側電極４と下側電極５ｂ、５ｄ及び５ｆとの間に閾値以上の電圧を印加したときの状態を示す模式的断面図である。下側電極５ｂ、５ｄ及び５ｆと上側電極４との間の第１泳動粒子７及び第２泳動粒子８は上側電極４に泳動し、上側電極４に付着する。すると、下側電極５ｂ、５ｄ及び５ｆの部分のみが第１泳動粒子７及び第２泳動粒子８が付着して白色に見える。その他の部分は泳動媒体９により遮蔽されるので黒色に見える。これにより文書や画像を表示することが可能となる。
【００２０】
次に、粒子径の大きな第１泳動粒子７と粒子径の小さな第２泳動粒子８とを混在させる理由について説明する。第１泳動粒子７の粒子径を小さくすると粒子における光の透過率が高くなる。そのため、電気泳動表示装置１に適用しようとすると表示の濃度が低下してくる。従って、粒子径はあまりに小さくすることができない。また、粒子径を大きくしていくと、第１泳動粒子７と隣の第１泳動粒子７とが最密に配列した場合でも、粒子間の間隙の体積が大きくなり、その結果第１泳動粒子７は泳動媒体９により遮蔽され、第１泳動粒子７の色が隠されることになる。これにより、表示濃度が低下してコントラストの低い表示となる。
【００２１】
第２図（ａ）は、透明な上側電極４に粒子径の大きな第１泳動粒子が最密に並んだ状態を模式的に示す側面図である。上側電極４の上方から第１泳動粒子７を見る場合に、領域１０では泳動媒体９の厚さがほとんど無いので第１泳動粒子７の色彩を見ることができる。しかし領域１１においては、泳動媒体９の存在により第１泳動粒子７の色が遮蔽される。そこで、この領域１１に小さな第２泳動粒子８を配置させることができれば、泳動媒体９による遮蔽を防止することができる。
【００２２】
図２（ｂ）は第１泳動粒子７を最密に充填したとき、第２泳動粒子８が取りうる最大径の配列を模式的に示す平面図である。第１泳動粒子７の平均粒子半径をｒ１μｍ、第２泳動粒子８の平均粒子半径をｒ２μｍとする。第１泳動粒子７が最密に充填される場合は、破線１２により示す３つの第１泳動粒子７と、破線１２の三角形の上に配置される第１泳動粒子７の、合計４つの第１泳動粒子７により囲まれる場合である。幾何計算から第２泳動粒子８の平均粒子半径ｒ２μｍは式（ｅ１）となる。
【００２３】
ｒ２＝（２√３／３-１）×ｒ１＝０．１５×ｒ１・・・・（ｅ１）
第２泳動粒子の半径がこれ以上大きくなると、第１泳動粒子７を最密に充填することができなくなる。その結果、第１泳動粒子７の間に隙間が生ずる。この隙間は表示の濃度を低下させることになる。そこで、上記（ｅ１）の条件を第２泳動粒子８の最大の平均粒子半径とする。この要件を式（ｅ２）により表す。
【００２４】
ｒ２≦０．１５×ｒ１・・・・（ｅ２）
また、第２泳動粒子８の粒子径を小さくする場合に、加工上の制限がある。実験によればその下限は概ね０．０２５μｍとなった。そこで、第２泳動粒子８の平均粒子半径ｒ２μｍを式（ｅ２）により表す。
【００２５】
ｒ２≧０．０２５・・・・（ｅ３）
既に述べたように、第１泳動粒子７の粒子径を小さくすると光が透過しやすくなり、泳動媒体９の色が反映されやすくなる。その結果、表示の濃度を高くすることができなくなってくる。実験によれば、第１泳動粒子７の最小平均粒子半径は概ね０．２μｍであった。そこで、第１泳動粒子の平均粒子半径ｒ１μｍの下限を０．２μｍとする。また、表示用粒子である第１泳動粒子７の粒子径を大きくしようとすると電極間隔も大きくしなければならず、駆動電圧が上昇する。実験によれば、表示用粒子の平均粒子半径ｒ１μｍを１０μｍより大きくした場合に応答速度の低下が顕著になった。従って、表示用の第１泳動粒子７を式（ｅ４）により表す範囲とするのが適切であった。
【００２６】
０．２≦ｒ１≦１０・・・・（ｅ４）
なお、第２泳動粒子８の平均粒子半径を式（ｅ２）により規定したが、第１泳動粒子７の間隙により充填されやすい平均粒子半径ｒ２μｍは、０．０９×ｒ１μｍ以下とするのが好ましく、更により好ましくは０．０３×ｒ１μｍ以下とするのがよい。
【００２７】
図３は、泳動粒子の表示応答速度を説明するための説明図であり、図３（ａ）は第１泳動粒子７の表示応答速度ｔ１のほうが第２泳動粒子８の表示応答速度ｔ２よりも大きい場合、図３（ｂ）は第２泳動粒子８の表示応答速度ｔ２のほうが第１泳動粒子７の表示応答速度ｔ１よりも大きい場合を模式的に示している。第１泳動粒子７と第２泳動粒子８との間の粒子径が適切であっても、電圧が印加されたときの両方の泳動粒子の表示応答速度が適切でなければ、２種類の粒子を混入した効果を発揮することができない。図３において、上側電極４と下側電極５との間に駆動電圧を印加したときに、第１泳動粒子７の表示応答速度をｔ１とし、第２泳動粒子８の表示応答速度をｔ２とする。表示応答速度とは、当該粒子の表示面における反射光強度を測定し、電圧を印加する前の反射光強度と電圧を印加した後に当該粒子の表示面における反射光が飽和する反射光強度との差を１００％とし、電圧を印加した後に当該粒子の表示面における反射光強度の差が９０％に達するまでの時間とする。
【００２８】
第２泳動粒子８の表示応答速度ｔ２が第１泳動粒子７の表示応答速度より大きくなると、図３（ｂ）に示すように第２泳動粒子８のほうが速く上側電極４に到達し、その上に第１泳動粒子７が到達することになる。第２泳動粒子８は第１泳動粒子７よりも粒子径が小さく、表示濃度が低い。その結果、表示濃度の低いコントラストが低下した表示となる。また、第１泳動粒子７の表示応答速度が遅くなるにつれて、第１泳動粒子７が上側電極４近傍に到達するまで電圧印加を維持しなければならない。そうすると、第２泳動粒子８が上側電極４の表面に張り付く焼き付き現象が発生する。焼き付き現象が発生すると、表示画面を切替えても残像となって前に表示した表示画面が残ってしまうという不具合が発生する。そこで、第２泳動粒子８の表示応答速度ｔ２が第１泳動粒子７の表示応答速度を越えないようにすれば良い。第２泳動粒子８の表示応答速度ｔ２と第１泳動粒子７の表示応答速度ｔ１とが同等の場合は、第１泳動粒子７と第２泳動粒子８とはほぼ等しい確率で上側電極４に到達することができる。その結果、図２の領域１１において示す第１泳動粒子７の間隙に第２泳動粒子８が入り込む確率を高くすることができる。この条件を式（ｅ５）により表す。
【００２９】
ｔ２≦ｔ１・・・・（ｅ５）
なお、第１泳動粒子７と第２泳動粒子８の表示応答速度の制御は、それぞれの粒子に含まれる帯電材の種類や帯電材料の量を制御することでそれぞれの粒子の帯電量に差異を持たせることで実現できる。例えば第１泳動粒子７の帯電量をゼータ電位計で測定した値が１００ｍＶとし、第２泳動粒子８の帯電量をゼータ電位計で測定した値が７０ｍＶとすることで式（ｅ５）の条件を実現できる。
【００３０】
次に、第２泳動粒子８の表示応答速度ｔ２が遅くなるにつれて第２泳動粒子８が上側電極４の表面に到達する前に第１泳動粒子７が到達することになる。その結果、図３（ａ）に示すように第１泳動粒子間の隙間に泳動媒体９が充満することになり第１泳動粒子７の表示濃度を低下させる。更に、第２泳動粒子８が上側電極４の近傍に到達するまで電極に電圧を印加し続けると、上述したように焼きつき現象が発生する。そこで、第２泳動粒子８の表示応答速度ｔ２は第１泳動粒子７の表示応答速度ｔ１の１／２を下回らないようにすればよい。これを、式（ｅ６）で表す。
【００３１】
０．５×ｔ１≦ｔ２・・・・（ｅ６）
図４は、第２泳動粒子８の最適な平均粒子数ｎを求める方法を説明するための説明図である。図４（ａ）は、透明な上側電極４の表面に第１泳動粒子７が最密に並び、上側電極４との間隙に１個の第２泳動粒子８が入っている状態を示す。図４（ｂ）は、上側電極４の表面に第１泳動粒子７が最密に並び、上側電極４との隙間に粒子径の小さい平均粒子半径ｒ２μｍの第２泳動粒子８が最密に充填された状態を示す。なお、以下において説明する平均粒子数ｎは単位面積当たりの平均粒子数とし、平均粒子半径ｒ１、ｒ２はμｍのディメンションを有するので、単位面積として１平方マイクロメータ（μｍ）２とする。
【００３２】
図４（ａ）の状態よりも第２泳動粒子８の数が少ない場合には、第１泳動粒子７の間隙が第２泳動粒子８により充填されない場合が生ずる。その場合は、上側電極４と第１泳動粒子７との間隙は泳動媒体９により充填されて遮蔽される。そのために表示濃度は低下する。従って、この第１泳動粒子７と上側電極４との間の間隙が１個の第２泳動粒子８により充填される場合を第２泳動粒子８の数の下限とするのが好ましい。また、図４（ｂ）に示すように、第１泳動粒子７と上側電極４との間の隙間を第２泳動粒子８が充填できる数であれば良いが、この数を超えると第２泳動粒子８が第１泳動粒子７の下方に堆積して第１泳動粒子７の移動の妨げになる、又は、第１泳動粒子７の最密配列が困難となる。従って、第２泳動粒子８の数は図４（ｂ）に示すように、上側電極４と最密配列する第１泳動粒子７との間隙を充填することができる数を上限とするのが好ましい。
【００３３】
次に、第２泳動粒子８の好ましい下限の数について説明する。図２（ｂ）は第１泳動粒子７が上側電極４に最密に並んだ状態を示す上面図であり、４つの第１泳動粒子７の中心を結線した破線１３の菱形領域１４の面積Ｓは２√３（ｒ１）２（μｍ）２となる。第２泳動粒子８の好ましい下限は最密充填された第１泳動粒子７の間隙に１個入る数である。三次元空間においては第１泳動粒子７の１個当たり２個の第２泳動粒子８が割り当てられる。従って、単位面積当たりの第２泳動粒子８の数は、２／（２√３（ｒ１）２）個となる。これを単位面積当たりの好ましい平均粒子数として式（ｅ７）で表す。
【００３４】
ｎ≧２／（２√３（ｒ１）２）・・・・（ｅ７）
次に、第２泳動粒子８の好ましい上限の数について説明する。図４（ｃ）は、図２（ｂ）に示す菱形領域１４を構成する４つの第１泳動粒子７を抜き出した模式的斜視図である。図４（ｃ）に示す破線１５は、上記菱形領域１４を底辺とし、高さｒ１μｍとする立体を表している。この立体の体積を第１泳動粒子７が占める充填率Ｑは式（ｅ８）で表すことができる。
【００３５】
Ｑ＝｛（１／２）（４／３）π（ｒ１）３｝／（２√３（ｒ１）３）・・・・（ｅ８）
上記充填率は約６０％となり、この立体の占める空隙率は（１−Ｑ）であるから約４０％となる。また、球体の三次元空間における最密充填率は約７４％である。従って、図４（ｃ）における第１泳動粒子７の空隙に平均粒子半径ｒ２μｍの第２泳動粒子８が入る単位面積当たりの平均粒子数ｎは式（ｅ９）により表すことができる。
【００３６】
ｎ＝（０．４×０．７４）／（（４／３）π（ｒ２）３）・・・・（ｅ９）
従って、第２泳動粒子８の好ましい上限は式（ｅ１０）で表すことができる。
【００３７】
ｎ≦０．０７１／（ｒ２）３・・・・（ｅ１０）
なお、式（ｅ７）及び式（ｅ１０）における第２泳動粒子８の平均粒子数ｎは、具体的には、表示面における単位面積、１平方μｍと、上側電極４と下側電極５の間隙により作られる立体に含まれる第２泳動粒子８の平均粒子数を表している。
【図面の簡単な説明】
【００３８】
【図１】本発明の実施の形態に係る電気泳動表示装置を表す模式的断面図である。
【図２】本発明の実施の形態に係る第１泳動粒子が最密に配列した状態を表す説明図である。
【図３】本発明の実施の形態に係る泳動粒子を説明するための説明図である。
【図４】本発明の実施の形態に係る泳動粒子を説明するための説明図である。
【図５】従来公知の電気泳動素子を表す模式的断面図である。
【符号の説明】
【００３９】
１  電気泳動表示装置
２  上側基板
３  下側基板
４  上側電極
５  下側電極
６  シール部
７  第１泳動粒子
８  第２泳動粒子
９  泳動媒体
【図１】
2007264285.tif 000003
【図２】
2007264285.tif 000004
【図３】
2007264285.tif 000005
【図４】
2007264285.tif 000006
【図５】
2007264285.tif 000007